(57)【要約】      （修正有）【課題】簡易に製造でき、フルカラー印刷が可能であって、コップやグラスに貼り付きにくい紙製コースターを低コストで提供する。【解決手段】表面に曲線又は直線状の稜線をなす隆起部２１を有する。隆起部２１は、一定又は不特定の間隔をもって配置された複数の直線状の稜線２１であることが望ましい。稜線２１は２本より３本のほうが効果的であって、コップ等５の安定性にも優れる。稜線２１により、コップ等５の底面の下に入り込んだ水分６の膜面とコップ等５の底面との接着部分の面積が小さくなり、両者は貼りつきにくくなる。完全な紙製であるために、軽く、フルカラー印刷が可能なうえ、吸水性に優れ、製造コストを低くすることができる。また、型を使用したプレス加工により、簡易に製造することができる。【選択図】図３
0003211112.tif 000002
【実用新案登録請求の範囲】
【請求項１】
飲食時にコップ・グラス等を載置する紙製のコースターであって、表面に曲線又は直線状の稜線をなす隆起部を有することを特徴とするコースター。
【請求項２】
前記隆起部は、一定又は不特定の間隔をもって配置された複数の直線状の稜線をなすことを特徴とする請求項１記載のコースター。
【考案の詳細な説明】
【技術分野】
【０００１】
本考案は、飲食店、家庭などで使用される、コップやグラスの底面に貼り付きにくい紙製のコースターに関する。
【背景技術】
【０００２】
従来のコースターには、紙製、コルク製、ラバー製などがある。うち、紙製のコースターは１〜２ｍｍと厚いものが多く、以前は単色又は２色印刷が主であったが、印刷技術の進歩によりフルカラー印刷が安価になってきたことで、フルカラーのコースターを求める需要は増加の傾向にある。
【０００３】
紙製のコースターは単価や印刷適正、吸水性に優れ一方、自重が軽い為、温度や湿度等の使用環境によっては、結露で発生した水分等によりコップ、グラス等の底面に貼り付いてしまい、持ち上げた際にコースターも一緒に持ち上がってしまうという難点があった。
【先行技術文献】
【特許文献】
【０００４】
【特許文献１】特開２００９-２５４６７１号公報
【考案の概要】
【考案が解決しようとする課題】
【０００５】
前述したように紙製のコースターは、軽さ、印刷適正、吸水性等に優れるが、結露で生じる水分が原因でコップやグラスの底面に貼り付いてしまうという問題があった。この問題を解決するために、紙のコースターに樹脂製のラインを接着することでコップやグラスの底面に貼り付く事を防ぐ品もあるが、一方で、表面に紙以外の素材を使用することにより、フルカラー印刷が出来ない等印刷する原稿の自由度が限定される、又小ロットでは単価が高くなる等の問題があった。
【０００６】
特許文献１には、表面・裏面を為す２つの紙製部材を、湾曲形状に成形した接合溶融樹脂材を中間に介して貼り合わせた３層構造のコースターが提案されている。コップ類の重さで湾曲形状から平らな形状に弾性変形したコースターが、コップ類を持ち上げたときには弾性力により湾曲形状に戻るといった性質を利用して、コップ類の底部がコースターから離れることを狙ったものである。しかしながら、２つの紙製部材を合溶融樹脂材で貼り合わせ湾曲に仕上げる工法は、工程が複雑になるうえ、原材料のコストが大きくなるため、現実的ではない。
【０００７】
上述の問題を踏まえ、本考案においては、簡易に製造でき、フルカラー印刷が可能であって、コップやグラスに貼り付きにくい紙製コースターを低コストで提供することを課題とする。
【課題を解決するための手段】
【０００８】
上記課題を解決するために、請求項１記載のコースターは、紙製であって、表面に曲線又は直線状の稜線をなす隆起部を有することを特徴とする。コップやグラスとコースターが貼り付く原因は、コップ等の表面の結露によって生じた水分がコップ等の底面とコースターの間に入り込んで膜面を形成し、該膜面の表面張力が両者を着接させるためであるが、表面に前記隆起部が形成されたコースターでは、前記水分の膜面とコップ等の底面との接着部分の面積が十分に大きくならないため、貼り付きにくくなる。
【０００９】
請求項２記載のコースターは、請求項１記載のコースターにおいて、前記隆起部が一定又は不特定の間隔をもって配置された複数の直線状の稜線をなすことを特徴とする。すなわち、前記隆起部によって形成される稜線の形状と数は、直線状のものが複数形成されることにより、前記水分の膜面とコップ等の底面との接着部分の面積が小さくなり、両者はより貼りつきにくくなる。また、前記稜線は２本より３本の方が、コップの安定性に優れる。
【考案の効果】
【００１０】
本考案により、コップやグラスに貼りつきにくい紙製のコースターを低価格で提供することができる。
【００１１】
本コースターは、従来一部にあった樹脂等の別素材との接着によらず、紙板を型プレスにより加工する方法をとるため、少ない工程及び低コストで、小ロットから大ロットまで対応し製造することが可能となる。
【００１２】
本コースターは紙製であるため、軽量である、高い吸水性能を有する、フルカラー印刷が可能である等の利点を保持することが可能である。
【図面の簡単な説明】
【００１３】
【図１】本実施形態のコースターの形状及び製造方法を示す各図である。（Ａ）は加工前のコースターの平面図、（Ｂ）はその側面図、（Ｃ）はプレス工程の模式図、（Ｄ）は加工後のコースターの側面図である。
【図２】加工後のコースターの、（Ａ）平面図、（Ｂ）側面図である。
【図３】（Ａ）は従来のコースターがコップ等に接着する原因を説明する模式図、（Ｂ）は本実施形態のコースターがコップ等に接着しない状態を示す模式図である。
【考案を実施するための形態】
【００１４】
まず、コップ等の底面とコースターの表面が貼りつくメカニズムについて説明する。図３（Ａ）に示すように、通常のコースターにおいては、コップ等５の表面と周辺空気との温度差により、コップ等５の表面に結露（水分）６が生じる。水分６はコップ等５の表面を下降し、コースター１とコップ等５の間に入り込み、膜面を形成する。水分６が増加し、前記膜面とコップ等５の底面との接着部分の面積が大きくなったときに、表面張力により貼りつきが生じる。
【００１５】
次に、本実施形態のコースター２の形状と、該形状がコップ等５の底面に貼りつきにくい構造となっていることについて説明する。本実施形態のコースター  は、図２に示すように、コースター表面に３本の直線状の隆起部（稜線）２１が一定の間隔で形成されている。隆起部（稜線）２１は凸起状に盛り上げる形で加工されている。コースターの形状は丸型（左図）と角型（右図）を用意した。
【００１６】
図３（Ｂ）に示すように、前述した３本の隆起部（稜線）２１がコップ等５の底面を持ち上げるため、コップ等５の底面下に入り込んだ水分６の膜面がコップ等５の底面に接着しにくくなる。このため、コップ等５の底面への貼りつきが回避されるのである。
【００１７】
最後に、本実施形態のコースターの制作工程について説明する。隆起部（稜線）２１は、図１（Ｃ）に示すように、メス型３及びオス型４の間に切削前の紙板又は切削後のコースター１を挟んでプレス加工する工程で作成される。工順は製作数により柔軟な対応が可能である。すなわち、小ロット生産の場合には、（１）印刷、（２）丸型又は角型への切削、（３）プレス加工、の順になるが、大ロット生産の場合は、（１）印刷、（２）プレス加工、（３）切削、とするのが効率的である。
【符号の説明】
【００１８】
１    コースター（加工前）
２    コースター（加工後）
２１  隆起部（稜線）
３    凹型プレス板
４    凸型プレス板
５    コップ・グラス等    
６    結露（水分）
【図１】
0003211112.tif 000003
【図２】
0003211112.tif 000004
【図３】
0003211112.tif 000005